(57)【要約】【課題】景品のディスプレイが途中で崩れることなく払い出し直前までそのままの状態を維持することができ、ディスプレイ効果の高い景品供給装置を提供する。【解決手段】台上の景品を移動させて景品払出口に落下させるゲーム装置に用いられる景品供給装置２６０であって、景品２００を載置保持する景品棚２６２と、景品棚２６２を水平方向でスライド可能かつ一端側を脱落可能に支持する支持手段２６４と、景品棚２６２に脱落方向へのスライド力を付与して一端側を脱落させ景品２００を供給可能にするスライド力付与手段６６とを含む。【選択図】図４
2008011874.tif 000002
【特許請求の範囲】
【請求項１】
フィールド上の景品を移動させて景品払出口に落下させるゲーム装置に用いられる景品供給装置であって、
景品を載置する景品棚と、
前記景品棚を、前記景品棚の回動を規制しつつスライド可能に、かつ、所与の位置で回動可能に支持する支持手段と、
前記景品棚をスライドさせるスライド力付与手段とを有し、
前記景品棚は、前記景品棚のスライド時に前記支持手段と係合し、回動時に前記景品棚の一方側の回動軸として機能する係合手段を有し、
前記景品棚が前記スライド力付与手段により所与の位置までスライドしたときに回動し、前記景品棚上に載置された景品が景品棚から落下することを特徴とする景品供給装置。
【請求項２】
請求項１において、
前記係合手段は、前記景品棚の一端側及び他端側に係合部を有し、
前記支持手段は、前記景品棚の一端側の係合部を水平方向でスライド可能に受け入れる一端開放のスライド溝と、前記景品棚の他端側の係合部を水平方向でスライド可能かつ回転可能に受け入れる端部閉塞のスライド溝とを有し、前記他端側の係合部が前記他端側のスライド溝の終端位置に移動したときに前記一端側の係合部が前記一端開放のスライド溝の開放端から脱落可能に前記他端側のスライド溝が前記一端側のスライド溝よりも長く形成され、
前記スライド力付与手段は、前記一端側の係合部が前記一端開放のスライド溝の開放端から脱落する方向に前記景品棚にスライド力を付与して前記一端側の係合部を前記一端開放のスライド溝の開放端から脱落させて前記景品棚を回転させて景品を落下させ景品を供給可能とすることを特徴とする景品供給装置。
【請求項３】
請求項１において、
前記係合手段は、前記景品棚の両側に設けられた複数の係合部を有し、
前記支持手段は、前記景品棚の一端側に設けられた係合部のスライドを支持する第１スライド部と、他端側に設けられた係合部のスライドを支持する第２スライド部とを有し、
前記第２スライド部は、前記第１スライド部よりもスライド支持する領域が長く形成され、前記景品棚が一端側にスライドし、前記一端側の係合部が第１スライド部から外れた場合に、前記一端側の係合部が落下し、前記他端側の係合部は第２スライド部上に位置し、前記他端側の係合部を軸に前記景品棚が回転することを特徴とする景品供給装置。
【請求項４】
請求項３において、
前記第２スライド部は、一端側に、前記他端側の係合部のスライドを規制するスライド規制部を有することを特徴とする景品供給装置。
【請求項５】
請求項１〜４のいずれかにおいて、
前記係合手段は、前記景品棚との相対角度を調整可能な角度調整板を有することを特徴とする景品供給装置。
【請求項６】
請求項５において、
前記角度調整手段は、前記景品棚に一体に設けられた角度調整板を有し、
前記角度調整板には、複数の角度調整孔と、前記支持手段に係合する一端側及び他端側の係合部が設けられ、
一方の係合部の角度調整孔に対する取付け位置を変更することで景品棚の角度が可変にされていることを特徴とする景品供給装置。
【請求項７】
請求項１〜６のいずれかにおいて、
前記スライド力付与手段は、前記景品棚に連結される連結部材と、前記連結部材に連結され、前記ゲーム装置のフィールド上に配置される錘とを有することを特徴とする景品供給装置。
【発明の詳細な説明】
【技術分野】
【０００１】
本発明は、景品供給装置に関し、特に、景品獲得ゲーム装置においてチャンス時に景品を払い出すための景品供給装置に関する。
【背景技術】
【０００２】
一般に、景品獲得ゲーム装置と称されるゲーム装置が知られている。
【０００３】
この景品獲得ゲーム装置は、例えば、回転するターンテーブル上の景品をアーム先端のショベルで掬い上げてタイミングよく固定テーブル上に落とすと、落とされた景品は通路状を景品払出口に向かう方向へ前後に移動するスライドテーブルに押され、固定テーブル上に前もって載置された景品が順次押されて通路の蕎麦にある景品が景品払出口に落ちることにより獲得できるようになっている。
【０００４】
このような景品獲得ゲーム装置においては、ターンテーブル上の景品を掬って固定テーブル上に落としても獲得できる景品の化ッ図はそれほど多くを期待できないため、一挙に多数の、あるいはターンテーブル上には置かれていない高級、あるいは特別な景品を獲得できるチャンスを与え、ゲームの興趣を高めるようにする提案がなされている。
【０００５】
例えば、横方向に延びる支軸を中心として揺動可能に支持された景品保持容器を配置し、この景品保持容器に対し前記支軸とは異なる軸を中心として揺動可能に上端が連結された突っ張り棒を用いたものがある（特許文献１参照）。
【特許文献１】特開２００４−１９４７５７号公報
【発明の開示】
【発明が解決しようとする課題】
【０００６】
特許文献１にあっては、突っ張り棒が景品によって押されて傾くと、それに伴って景品保持容器の底面が徐々に傾いてしまうこととなる。
【０００７】
したがって、景品保持容器状にせっかく作った景品のディスプレイが底面の傾きによって途中で崩れてしまうという問題があった。
【０００８】
また、景品保持容器上の景品の総重量が増加すると、突っ張り棒がその影響を受けて動きにくくなることもあった。
【０００９】
また、突っ張り棒だとそれが少しずつ動いても単調で変化に乏しく、もっとプレーヤの興味を引きつけるものが望まれていた。
【００１０】
本発明の目的は、景品のディスプレイが途中で崩れることなく払い出し直前までそのままの状態を維持することができ、ディスプレイ効果の高い景品供給装置を提供することにある。
【課題を解決するための手段】
【００１１】
（１）前記目的を達成するため、本発明の景品供給装置は、フィールド上の景品を移動させて景品払出口に落下させるゲーム装置に用いられる景品供給装置であって、
景品を載置する景品棚と、
前記景品棚を、前記景品棚の回動を規制しつつスライド可能に、かつ、所与の位置で回動可能に支持する支持手段と、
前記景品棚をスライドさせるスライド力付与手段とを有し、
前記景品棚は、前記景品棚のスライド時に前記支持手段と係合し、回動時に前記景品棚の一方側の回動軸として機能する係合手段を有し、
前記景品棚が前記スライド力付与手段により所与の位置までスライドしたときに回動し、前記景品棚上に載置された景品が景品棚から落下することを特徴とする。
【００１２】
本発明によれば、スライド力付与手段により景品棚の一端側が脱落するまでは、景品棚は支持手段により支持されているため、景品のディスプレイが途中で崩れることがなく、払い出し直前までそのままの状態を維持することができ、景品によるディスプレイ効果を高めることができる。
【００１３】
（２）本発明においては、（１）において、
前記係合手段は、前記景品棚の一端側及び他端側に係合部を有し、
前記支持手段は、前記景品棚の一端側の係合部を水平方向でスライド可能に受け入れる一端開放のスライド溝と、前記景品棚の他端側の係合部を水平方向でスライド可能かつ回転可能に受け入れる端部閉塞のスライド溝とを有し、前記他端側の係合部が前記他端側のスライド溝の終端位置に移動したときに前記一端側の係合部が前記一端開放のスライド溝の開放端から脱落可能に前記他端側のスライド溝が前記一端側のスライド溝よりも長く形成され、
前記スライド力付与手段は、前記一端側の係合部が前記一端開放のスライド溝の開放端から脱落する方向に前記景品棚にスライド力を付与して前記一端側の係合部を前記一端開放のスライド溝の開放端から脱落させて前記景品棚を回転させて景品を落下させ景品を供給可能とすることができる。
【００１４】
このような構成とすることにより、景品棚の一端側の係合部は水平方向でスライド可能に受け入れる一端開放のスライド溝に支持されているだけなので、一端側の脱落は簡単な構成で容易に行うことができ、しかも復帰動作も簡単に行うことができる。
【００１５】
（３）本発明においては、（１）において、
前記係合手段は、前記景品棚の両側に設けられた複数の係合部を有し、
前記支持手段は、前記景品棚の一端側に設けられた係合部のスライドを支持する第１スライド部と、他端側に設けられた係合部のスライドを支持する第２スライド部とを有し、
前記第２スライド部は、前記第１スライド部よりもスライド支持する領域が長く形成され、前記景品棚が一端側にスライドし、前記一端側の係合部が第１スライド部から外れた場合に、前記一端側の係合部が落下し、前記他端側の係合部は第２スライド部上に位置し、前記他端側の係合部を軸に前記景品棚が回転するようにすることができる。
【００１６】
このような構成とすることにより、第２のスライド部が第１のスライド部より長く形成されているため、他端側の係合部が第２のスライド部上にある状態で一端側の係合部が第１のスライド部から外れて景品棚上の景品を確実に落下させることができる。
【００１７】
（４）本発明においては、（３）において、
前記第２スライド部は、一端側に、前記他端側の係合部のスライドを規制するスライド規制部を有するものとすることができる。
【００１８】
このような構成とすることにより、スライド規制部によって他端側の係合部の落下を確実に防止できる。
【００１９】
（５）本発明においては、（１）〜（４）において、
前記係合手段は、前記景品棚との相対角度を調整可能な角度調整板を有することができる。
【００２０】
このような構成とすることにより、景品棚を水平に支持したり、傾けて支持することで、プレーヤに対して景品がどのようなものか見やすい状態で展示し、ディスプレイ効果を高めることが可能となる。
【００２１】
（６）本発明においては、（５）において、
前記角度調整手段は、前記景品棚に一体に設けられた角度調整板を有し、
前記角度調整板には、複数の角度調整孔と、前記支持手段に係合する一端側及び他端側の係合部が設けられ、
一方の係合部の角度調整孔に対する取付け位置を変更することで景品棚の角度を可変にすることができる。
【００２２】
このような構成とすることにより、一方の係合部の角度調整孔に対する取付位置を変更することで、部品点数を増加することなく、簡単に景品棚角度を変更することができる。
【００２３】
（７）本発明においては、（１）〜（４）のいずれかにおいて、
前記スライド力付与手段は、前記景品棚に連結される連結部材と、前記連結部材に連結され、前記ゲーム装置のフィールド上に配置される錘とを有するものとすることができる。
【００２４】
このような構成とすることにより、錘の落下という簡単な構成で景品棚にスライド力を付与することができる。
【発明を実施するための最良の形態】
【００２５】
以下、本発明の実施の形態について、図面を参照して説明する。
【００２６】
図１〜図８は、本発明の一実施の形態にかかる景品供給装置を用いた景品獲得ゲーム装置を示す図である。
【００２７】
図１は、本実施の形態に係る景品供給装置を用いた景品獲得ゲーム装置の全体概略正面図、図２はその平面図であり、この景品獲得ゲーム装置１０は、景品獲得ゲームを行う４つのステーション１２が設けられ、４人同時にプレーすることができるようになっている。
【００２８】
各ステーション１２の筐体１４上部前面には開口部１６が設けられ、この開口部１６に透明なプラスチックからなる開き扉１８が、図３の部分拡大平面図で示すように、向かって右側のヒンジ２０を中心にして右側に開けるようになっている。
【００２９】
筐体１４内には、図３に示すように、各ステーション１２に跨って多数の景品２２が載置されたターンテーブル２４が一定方向に一定速度で回転する状態で設けられている。
【００３０】
また、各ステーション１２には、景品獲得装置２５としてターンテーブル２４上の景品２２を掬い上げるためのショベル２６がクレーン２８によってターンテーブル２４側の掬い上げ位置と掬い上げた景品２２を落下させる景品落下位置との間を移動可能に設けられるとともに、景品落下位置の下方には予め複数の景品２２が載せられるフィールドである固定テーブル３０が設けられている。
【００３１】
固定テーブル３０の一端側の下方には、筐体１４の外周部に設けられた景品取り出し口３２に連通された景品払出口３４が設けられ、固定テーブル３０の他端側（筐体１４の中心側）には、固定テーブル３０上を図３矢印Ａ方向に往復移動するスライドテーブル４６が設けられている。
【００３２】
また、開き扉１８の下部には、プレー用の操作部３６が設けられ、この操作部３６には所定のコインを投入するコイン投入部３８や返却ピン４０、ショベル２６の掬い上げ動作を行わせる掬い用操作スイッチ３６ａ、ショベル２６の景品落下動作を行わせる落下用操作スイッチ３６ｂ、液晶表示装置４２、４４等が設けられている。
【００３３】
このように、開き扉１８の下部にプレー用の操作部３６を一体的に設けることにより、操作部３６がフレーム兼用となるので、ゲーム空間を見るための視界を広げることができる。
【００３４】
そして、プレーヤがコイン投入部３８よりコインを投入し、操作スイッチ３６ａ、３６ｂを操作してショベル２６によりターンテーブル２４上の景品２２を掬い上げ、掬い上げた景品２２を固定テーブル３０上に落下させると、固定テーブル３０上の景品２２がスライドテーブル４６の移動によって景品払出口３４側に押し出されて落下することで景品２２が獲得できるようになっている。
【００３５】
また、この実施の形態における景品獲得ゲーム装置１０では、図示せぬが固定テーブル３０上にプレーの結果によって大量の景品が景品払出口３４に落下するように、景品を積み上げて載置する運営が行われている。
【００３６】
また、景品獲得スペース４８の上方位置にジャックポット用の景品供給装置２６０が設置され、この景品供給装置２６０から景品がボーナスとして払い出されるようになっている。
【００３７】
この景品供給装置２６０は、景品棚２６２と、支持手段２６４と、スライド力付与手段２６６とを有している。
【００３８】
以下、この景品供給装置２６０の詳細を図４〜図８により説明する。
【００３９】
図４は、景品供給装置の側面図、図５（１）はその平面図、そして、図５（２）はその正面図である。
【００４０】
景品棚２６２は、景品２００を載置保持するもので、フラットなプレート状のものとなっており、前端に上方に延出する景品２００の滑り落ち止め部２６８が形成された状態となっている。
【００４１】
また、この景品棚２６２は、支持手段２６４に支持される係合手段を有している。
【００４２】
係合手段は、景品棚２６２の両側部に一端側の係合部としての係合ピン２７０ａ、２７０ｂ及び他端側の係合ピン２７２ａ、２７２ｂがそれぞれ側方に突出して設けられている。
【００４３】
さらに、この景品棚２６２は、支持手段２６４に対して角度可変にされるもので、図５（１）、（２）における左側の側部には、角度調整板２７４が取り付けられ、左側の側部に位置する係合ピン２７０ａ、２７２ａはこの角度調整板２７４に取り付けられた状態となっている。
【００４４】
角度調整板２７４は、図４に示すように、扇形状に形成されており、円弧部側が前方に向けて配置された状態となっており、その円弧部側に円弧に沿って複数、例えば５個の角度調整孔２７６が形成され、一端側の係合ピン２７０ａが各角度調整孔２７６に取り付け可能となっている。
【００４５】
そして、この各角度調整孔２７６に対する係合ピン２７０ａの取付け位置によって景品棚２６２の角度が可変となるようになっている。
【００４６】
支持手段２６４は、景品棚２６２を水平方向でスライド可能かつ一端側を脱落可能に支持するもので、ステー２７８を介して筐体１４に取り付けられるベースプレート２８０の両側部に一対の支持部材２８２が設けられている。
【００４７】
各支持部材２８２は、景品棚２６２の一端側の係合ピン２７０ａ、２７０ｂを水平方向でスライド可能に受け入れる一端（前端）開放の第１のスライド溝２８４（スライド部２８４ｌ）と、景品棚２６２の他端側の係合ピン２７２ａ、２７２ｂを水平方向でスライド可能かつ回転可能に受け入れる端部閉塞の第２のスライド溝２８６（スライド部２８６ｌ）とを有している。
【００４８】
また、一端側の第１のスライド溝２８４と他端側の第２のスライド溝２８６とは、他端側の係合ピン２７２ａ、２７２ｂが他端側の第２のスライド溝２８６の終端（前端）位置（スライド規制部２８６ｅ）に移動したときに、一端側の係合ピン２７０ａ、２７０ｂが一端開放の第１のスライド溝２８４の開放端から脱落可能に、他端側の第２のスライド溝２８６（スライド部２８６ｌ）が一端側の第１のスライド溝２８４（スライド部２８４ｌ）よりも長く形成されている。
【００４９】
スライド力付与手段２６６は、一端側の係合ピン２７０ａ、２７０ｂが一端開放の第１のスライド溝２８４の開放端から脱落する方向に景品棚２６２にスライド力を付与して一端側の係合ピン２７０ａ、２７０ｂを一端開放の第１のスライド溝２８４の開放端から脱落させて景品棚２６２を回転させて景品２００を落下させ景品２００を供給、払い出しするもので、固定テーブル３０上に載置される錘２８８と、この錘２８８と景品棚２６２とを連結する紐２９０とを有している。
【００５０】
紐２９０は、景品棚２６２に対して前方へのスライド力を付与するため、景品棚２６２側の端部が景品棚２６２の後部側に接続され、そこから保持棚支持部材２８２の前端部側にかけまわされた状態となっている。
【００５１】
そして、固定テーブル３０上に載置された錘２８８が、スライドテーブル４６の移動によって、固定テーブル３０上から落下させられると、錘２８８の重量が紐２９０を介して景品棚２６２の後部側に伝達され、錘２８８の重量によって、図６（１）に示すように、景品棚２６２が前方に移動し、図６（２）に示すように、他端側の係合ピン２７２ａ、２７２ｂが他端側の第２のスライド溝２８６の終端（前端）位置に移動したときに、一端側の係合ピン２７０ａ、２７０ｂが一端開放の第１のスライド溝２８４の開放端から脱落し、景品棚２６２の前端側が他端側の係合ピン２７２ａ、２７２ｂを軸に下方に回転し、景品２００が落下して払い出されるようになっている。
【００５２】
また、図７に示すように、薄型の景品２１０のようにベースプレート２８０上に立てられないものの場合には、一端側の係合ピン２７０ａの角度調整板２７４の角度調整孔２７６に対する取付け位置を変更して、例えば最上位置の角度調整孔２７６に取り付けることで、景品棚２６２を傾斜させれば、ディスプレイ効果を高めることができる。
【００５３】
さらに、図８に示すように小さめの景品２２０、２２１を景品棚２６２に載置する場合には、景品棚２６２の後方側に嵩上げ部材２９２を設けてひな壇状にすることで、ディスプレイ効果を高めることが可能である。
【００５４】
この景品供給装置２６０は、払い出し（ジャックポット）がなされると、図５（２）に示すセンサ１５０（ＪＰ検知手段１５０）によりジャックポットの発生が検出され、このＪＰ検知手段１５０で検出されたジャックポットの発生はジャックポットカウント部（ＪＰカウント部１５８）にてカウントされ、このカウントされたジャックポット数がジャックポット数記憶部（ＪＰ記憶部１６４）に記憶され、この記憶されたジャックポット数が、図１２及び図１３に示す筐体１４内のサービスパネル５３のジャックポット数表示手段（ＪＰ数表示手段５２）に表示されるようになっている。
【００５５】
このサービスパネル５３には、他に電源スイッチ５３ａ、インカムカウンタ５３ｂ、リセットスイッチ５３ｃ、操作スイッチ５３ｄ、テストスイッチ５３ｅ、照明スイッチ５３ｆ、音量ボリューム５３ｇ、サービススイッチ５３ｈ、ヒューズホルダ５３ｉ、ＬＣＤ表示装置５６等が配設されている。
【００５６】
そして、ゲーム中にジャックポットが発生すると、ジャックポット用の景品を補充しなければならず、しかも、ジャックポットの発生頻度によっては固定テーブル３０上のジャックポットの位置や錘の位置を調整したり、固定テーブル３０やスライドテーブル４６の位置関係を調整してペイアウト率の調整を行ったりする必要が生じることもある。
【００５７】
このようなジャックポット用景品の補充、ジャックポットの調整、ペイアウト率の調整等を行う場合、開き扉１８を開いて調整等を行うこととなるが、この開き扉１８を開くと開き扉１８に設けられている操作部３６も開き扉１８と一緒に移動してしまい、メンテナンス時に操作部３６の操作がしにくい状態となる。
【００５８】
そこで、開き扉１８を開いた際に露出する筐体１４の部位、具体的には開口部１６の下辺部にメンテナンスプレースイッチ５１やショベル２６の掬い上げ動作を行わせる掬い用操作スイッチ５０ａ、ショベル２６の景品落下動作を行わせる落下用操作スイッチ５０ｂを有するメンテナンス用の操作部５０を設けるようにしている。
【００５９】
このように、開口部１６の下辺部にメンテナンス用の操作部５０を設けることにより、開き扉１８を開いたままで、プレー用の操作部３６を用いることなく、メンテナンス用の操作部５０を操作すればメンテナンス作業が容易に行えることとなる。
【００６０】
また、このメンテナンス用の操作部５０は、開き扉１８を閉じた際に開き扉１８によって隠れる位置で、上向きに配置されている。
【００６１】
したがって、プレーヤがゲームを行っているときには、ゲーム空間の景品が操作部５０に接触することを防止でき、メンテナンス用の操作部５０はプレーヤの目に触れることがなく、いたずら等を防止することができ、しかも、メンテナンス用の操作部を上向きに配置することでメンテナンス時の操作をし易くすることができる。
【００６２】
また、メンテナンス用の操作部５０におけるメンテナンスプレースイッチ５１を押した場合、プレーカウント部１６０によって、プレー回数としてカウントせず、プレーヤのプレー回数に影響を与えることなくメンテナンスのためのゲームを行うことができるようにされている。
【００６３】
さらに、メンテナンス用の操作部５０には、固定テーブル３０上に大量に積み上げた景品が獲得された場合、これをジャックポットの発生としてジャックポットの発生回数にカウントするためのジャックポットカウントスイッチ５４が設けられている。
【００６４】
このように、ジャックポット検知手段により検出されない景品の大量払い出しの発生回数を景品補充のために開き扉１８を開いたときにオペレータが押してカウントすることで、大量の払い出し（ジャックポット）回数を把握でき、プレー回数とジャックポット発生回数とによりジャックポットの発生頻度を管理して、ペイアウト率の調整を容易にすることができる。
【００６５】
このジャックポットの発生回数は、図１２及び図１３に示す筐体１４内のＬＣＤ表示装置５６に各ステーション毎に表示することができる。
【００６６】
このＬＣＤ表示装置５６は、４つのステーション１２に共通に設けられ、４つのステーション１２のジャックポットの発生回数を表示するようになっているが、各ステーション１２にそれぞれ設けるようにしてもよい。
【００６７】
また、この実施の形態では、図９及び図１０に示すように、固定テーブル３０及びスライドテーブル４６が景品払出口３４に対して複数段階にわたり突出量を調整する突出量調整機構５８、６０を設けるようにしている。
【００６８】
具体的には、固定テーブル３０の突出量調整機構５８は、図１０に示すように、固定側部材６２の両側部に前後方向にわたり複数、例えば５つの係合用凹部６４を形成した係止部材６６が取り付けられ、固定テーブル本体６８側には、一端側に係合用凹部６４に係合する係合部７０を有し、他端側に固定テーブル本体６８の側面に露出する係合解除部７２を有し、軸７４を中心に回転可能に支持された係合部材７６が設けられ、係合部７０がコイルばね７８によって係合用凹部６４側に付勢された状態となっている。
【００６９】
したがって、係合解除部７２を固定テーブル本体６８内方に押し込み、係合部７０と係合用凹部６４との係合状態を解除した状態で、固定テーブル本体６８をスライドさせ、適宜の位置で係合解除部７２を離せば固定テーブル３０の長さを５段階で調整可能となっている。
【００７０】
スライドテーブル４６の突出量調整機構６０は、図９に示すように、スライド部材８０の両側部に前後方向にわたり複数、例えば３つの係合用凹部８２を形成した係止部材８４が取り付けられ、スライドテーブル本体８６側には、一端側に係合用凹部８２に係合する係合部８８を有し、他端側にスライドテーブル本体８６の側面に露出する係合解除部９０を有し、軸９２を中心に回転可能に支持された係合部材９４が設けられ、係合部８８がコイルばね９６によって係合用凹部８２側に付勢された状態となっている。
【００７１】
したがって、係合解除部９０をスライドテーブル本体８６内方に押し込み、係合部８８と係合用凹部８２との係合状態を解除した状態で、スライドテーブル本体８６をスライドさせ、適宜の位置で係合解除部９０を離せばスライドテーブル４６の長さを３段階で調整可能となっている。
【００７２】
このように、固定テーブル３０及びスライドテーブル４６を景品払出口３４に対して複数段階にわたり突出量を調整可能とすることにより、ペイアウト率の調整を容易に行うことができるようになっている。
【００７３】
また、この実施の形態では、図１１に示すように、固定テーブル３０は、景品払出口３４側の先端部１００を形状の異なる部品と交換可能にしている。
【００７４】
具体的には、先端部１００の基端部に固定テーブル本体６８側に突出する固定孔１０２付きの取付部１０４を設け、固定テーブル本体６８側には取付部１０４を差し込み可能にネジ孔１０６付きのネジ取付け板１０８を設け、取付部１０４をネジ取付け板１０８側に差し込んだ状態で、ネジ孔１０６にネジ１１０を螺合させて、ネジ１１０の先端を固定孔１０２内に層通させることで取付け可能となっている。
【００７５】
交換する先端部１００の形状は、図９及び図１０に示すような先端が略直線状のもの、曲線状のもの、三角状のもの等種々の形状とすることができる。
【００７６】
このように、固定テーブル３０の景品払出口３４側の先端部を形状の異なる部品と交換可能にすることで、先端部の形状に応じたペイアウト率の調整を容易に行うことができることとなる。
【００７７】
図１４には、本実施の形態にかかる景品獲得ゲーム装置１０の機能ブロック図を示す。
【００７８】
この景品獲得ゲーム装置１０は、操作手段１４４と、制御部１４６と、ジャックポット数表示手段５２と、ジャックポット検知手段１５０と、コイン検知手段１５２と、サービススイッチ５３ｈとを有している。
【００７９】
操作手段１４４は、プレー用操作部３６と、メンテナンス用操作部５０とを有する。メンテナンス用操作部５０は、メンテナンスプレースイッチ５１と、ジャックポットカウントスイッチ５４とを有している。
【００８０】
制御部１４６は、テーブル制御部１５４と、ショベル制御部１５６と、ジャックポットカウント部１５８と、プレーカウント部１６０と、記憶部１６２とを有する。
【００８１】
記憶部１６２は、ジャックポット数記憶部１６４と、プレー数記憶部１６６とを有する。
【００８２】
テーブル制御部１５４は、ターンテーブル２４及びスライドテーブル４６の駆動制御を行う。
【００８３】
ショベル制御部１５６は、コイン検知手段１５２がコインの投入を検知した後プレー用操作部３６の操作スイッチ３６ａ、３６ｂからの入力信号があった場合、サービススイッチ５３ｈが押された後プレー用操作部３６の操作スイッチ３６ａ、３６ｂからの入力信号があった場合及びメンテナンスプレースイッチ５１が押されてメンテナンス用操作部５０の操作スイッチ５０ａ、５０ｂからの入力信号があった場合に景品獲得装置２５のクレーン２８やショベル２６に景品の掬い上げ動作や落下動作を行わせるようになっている。
【００８４】
ジャックポットカウント部１５８は、ジャックポット検知手段１５０が棚上の景品がボーナスとして払い出されたことを検出した際にその払い出しをカウントするようになっている。
【００８５】
また、メンテナンス用操作部５０のジャックポットカウントスイッチ５４が押された場合にもジャックポットカウント部１５８がカウントを行うようになっている。
【００８６】
プレーカウント部１６０は、コイン検知手段１５２がコインの投入を検知した場合、サービススイッチ５３ｈが押された場合にプレーをカウントするようになっている。
【００８７】
ジャックポット数記憶部１６４は、ジャックポットカウント部１５８がジャックポットをカウントした際にそのカウント数を記憶し、記憶したジャックポット数はジャックポット数表示手段５２に表示されるようになっている。
【００８８】
なお、プレーカウント部１６０はメンテナンスプレースイッチ５１の入力があった場合、通常プレーと同様にゲーム実行可能となるが、プレー回数はカウントしない。
【００８９】
プレー数記憶部１６６は、プレーカウント部１６０がプレーをカウントした際にそのカウント数を記憶し、記憶したプレー数は表示手段に表示されるようになっている。
【００９０】
図１５及び図１６には、固定テーブル３０及びスライドテーブル４６の突出量調整機構の変形例を示す。
【００９１】
固定テーブル３０の突出量調整機構１１２は、図１５に示すように、固定側部材１１４の両側部に前後方向にわたり複数、例えば５つの係合用スリット１１６を形成し、固定テーブル本体６８側には、一端側に係合用スリット１１６に係合する係合部１１８を有し、他端側に固定テーブル本体６８の側面に露出する係合解除部１２０を有し、軸１２２を中心に回転可能に支持された係合部材１２４が設けられ、係合部１１８がコイルばね１２６によって係合用スリット１１６側に付勢された状態となっている。
【００９２】
したがって、係合解除部１２０を固定テーブル本体６８内方に押し込み、係合部１１８と係合用スリットとの係合状態を解除した状態で、固定テーブル本体６８をスライドさせ、適宜の位置で係合解除部１２０を離せば固定テーブル３０の長さを５段階で調整可能となっている。
【００９３】
スライドテーブル４６の突出量調整機構１２８は、図１６に示すように、スライド部材８０の両側部に前後方向にわたり複数、例えば３つの係合用スリット１３０を形成し、スライドテーブル本体８６側には、一端側に係合用スリット１３０に係合する係合部１３２を有し、他端側にスライドテーブル本体８６の側面に露出する係合解除部１３４を有し、軸１３６を中心に回転可能に支持された係合部材１３８が設けられ、係合部１３２がコイルばね１４０によって係合用スリット１３０側に付勢された状態となっている。
【００９４】
したがって、係合解除部１３４をスライドテーブル本体８６内方に押し込み、係合部１３２と係合用スリット１３０との係合状態を解除した状態で、スライドテーブル本体８６をスライドさせ、適宜の位置で係合解除部１３４を離せばスライドテーブル４６の長さを３段階で調整可能となっている。
【００９５】
図１７は、景品供給装置の変形例を示す。
【００９６】
この景品供給装置１６４は、景品棚１６５の一端側にロッド状の係合部１６６を両側方に突出した状態で取付け、この係合部１１６を第１の支持部材１６７上に支持させ、他端側に所定長さの突出片１６８を突出させて、この突出片１６８を第１の支持部材１６７にかけ渡した第２の支持部材１６９上に支持させるようにしている。
【００９７】
そして、景品棚１６５を矢印Ｂ方向に所定距離スライド移動させると、第２の支持部材１６９に支持された突出片１６８の支持が解除されて、景品棚１６５は係合部１６６を軸として矢印Ｃ方向に回転し、景品棚１６５上の景品を落下させるようになっている。
【００９８】
図１８には、景品供給装置の他の変形例を示す。
【００９９】
この景品供給装置１７０は、（１）に示すように、景品棚１７１の一端側及び他端側より第１の係合部１７２及び第２の係合部１７３を突出させると共に、これら第１及び第２の係合部１７２，１７３を支持部材１７４上にスライド可能に支持させている。
【０１００】
すなわち、第１の係合部１７２が第１のスライド部１７６上をスライドし、第２の係合部１７３が第２のスライド部１７７上をスライドするようになっている。
【０１０１】
また、第２のスライド部１７７は第１のスライド部１７６よりも支持する領域は短くされている。
【０１０２】
そして、景品棚１７１を矢印Ｄ方向所定距離スライド移動させると、第１の係合部材１７２が支持部材１７４上から脱落して、（２）に示すように第２の係合部材１７３を軸にして矢印Ｅ方向に回転し、景品棚１７１上の景品を落下させるようになっている。
【０１０３】
なお、支持部材１７４には、第２の係合部材１７３用のスライド規制部材１７５が設けられている。
【０１０４】
図１９には、景品供給装置のさらに他の変形例を示す。
【０１０５】
この景品供給装置１８０は、（１）に示すように、景品棚１８１の一端側の両側方に断面楕円形状の係合部材１８２を突出させ、支持部材１８３側には係合部材１８２をスライド可能にするスライド溝１８４を形成し、このスライド溝１８４の一端に支持部材１８３を回転可能にする大きめの円形溝１８５を形成している。
【０１０６】
そして、景品棚１８１を矢印Ｆ方向に移動させると、係合部材１８２がスライド溝１８４内をスライド移動し、係合部材１８４が円形溝１８５に達すると、係合部材１８２が円形溝１８５内で回転して、（２）に示すように景品棚１８１が矢印Ｇ方向に回転して景品棚１８１上の景品を落下させるようになっている。なお、係合部材１８２の断面形状は、六角形などの多角形でも良い。
【０１０７】
本発明は、前記実施の形態に限定されるものではなく、本発明の要旨の範囲内において種々の形態に変形可能である。
【０１０８】
例えば、前記実施の形態においては、景品棚を前方に回転させるようにしているが、この例に限らず、後方側あるいは左右方向に回転させるようにしてもよい。
【０１０９】
また、一端側のスライド溝の開放端を前端側としているが、これに限らず、後端側を開放端として景品棚を後方にスライドさせるようにしてもよい。
【０１１０】
なお、本発明を用いる景品獲得ゲーム装置としてはメダルゲーム装置等も含むものとし、景品は、メダル、コイン、その他スライドテーブルで押出すことが可能な媒体を含むものとする。さらに、獲得できる景品としては、景品、メダル、コインそのものではなく、それらと同等価値のチケットや記録媒体などでもよく、景品払出口に落下したものを検出する手段と、検出したデータを予め定められた計算式を用いて変換し、変換したデータを記録したチケットや磁気カードの代替物を払い出す手段を設けても良い。
【図面の簡単な説明】
【０１１１】
【図１】本発明の一実施の形態に係る景品獲得ゲーム装置の全体概略正面図である。
【図２】図１の景品獲得ゲーム装置の平面図である。
【図３】図１の一ステーションの拡大平面図である。
【図４】図１の景品供給装置の側面図である。
【図５】（１）は図４の平面図、（２）はその正面図である。
【図６】（１）は景品棚のスライド開始状態を示す側面図、（２）は景品棚の回転状態を示す側面図である。
【図７】景品棚を傾斜させた状態を示す側面図である。
【図８】景品棚に嵩上げ部材を配置した状態を示す側面図である。
【図９】スライドテーブルの内部構造を示す拡大平面図である。
【図１０】固定テーブルの内部構造を示す拡大平面図である。
【図１１】固定テーブル及びスライドテーブルの側面図である。
【図１２】筐体の下部扉を開いて内部を示す正面図である。
【図１３】図７のサービスパネルの拡大図である。
【図１４】本実施の形態にかかる景品獲得ゲーム装置の機能ブロック図である。
【図１５】固定テーブルの突出量調整機構の変形例を示す平面図である。
【図１６】スライドテーブルの突出量調整機構の変形例を示す平面図である。
【図１７】景品供給装置の変形例を示す斜視図である。
【図１８】（１）及び（２）は景品供給装置の他の変形例を示す側面図である。
【図１９】（１）及び（２）は景品供給装置のさらに他の変形例を示す側面図である。
【符号の説明】
【０１１２】
１０  景品獲得ゲーム装置
１２  ステーション
１４  筐体
１６  開口部
１８  開き扉
２２  景品
２４  ターンテーブル
３０  固定テーブル
３４  景品払出口
３６  操作部
３６ａ、３６ｂ  操作スイッチ
４６  スライドテーブル
４８  景品獲得スペース
２６０  景品供給装置
２６２  景品棚
２６４  支持手段
２６６  スライド力付与手段
２７０ａ、７０ｂ  一端側の係合ピン
２７２ａ、７２ｂ  他端側の係合ピン
２７４  角度調整板
２７６  角度調整孔
２８４  第１のスライド溝
２８６  第２のスライド溝
２８８  錘
２９０  紐
【図１】
2008011874.tif 000003
【図２】
2008011874.tif 000004
【図３】
2008011874.tif 000005
【図４】
2008011874.tif 000006
【図５】
2008011874.tif 000007
【図６】
2008011874.tif 000008
【図７】
2008011874.tif 000009
【図８】
2008011874.tif 000010
【図９】
2008011874.tif 000011
【図１０】
2008011874.tif 000012
【図１１】
2008011874.tif 000013
【図１２】
2008011874.tif 000014
【図１３】
2008011874.tif 000015
【図１４】
2008011874.tif 000016
【図１５】
2008011874.tif 000017
【図１６】
2008011874.tif 000018
【図１７】
2008011874.tif 000019
【図１８】
2008011874.tif 000020
【図１９】
2008011874.tif 000021